(57)【要約】   【課題】  筒体を含む装置一般について、当該筒体の内部に押し込んで筒体内にアクセスできる棒状工具およびそれを用いる装置を提供する。  【解決手段】  筒体２１０ａ，２１０ｂを含む装置２００における筒体２１０ａ，２１０ｂの内部に押し込む棒状工具１００，１００−１であって、軸体１１０と、筒体２１０ａ，２１０ｂの内径に適した外径を持った棒状ヘッド体１２０と、棒状ヘッド体１２０の先端面に設けられた窪み形状１３０と、棒状ヘッド体１２０の先端の周回部分において窪み形状１３０を囲繞する壁面である囲繞側壁体１４０を備えた構成とする。さらに棒状ヘッド体１２０の窪み形状１３０よりも後方の外壁面に設けられたくびれ状のバッファ空間１５０と、バッファ空間１５０には第２の窪み形状１６０と第２の囲繞側壁体１７０と第３の窪み形状１８０と第３の囲繞側壁体１９０を備えた構成とすることもできる。【選択図】  図５
2020085445.tif 000002
【特許請求の範囲】
【請求項１】
筒体を含む装置における前記筒体の内部に押し込む棒状工具であって、
前記筒体の内径に適した外径を持った棒状ヘッド体と、
前記棒状ヘッド体の先端面に設けられた窪み形状と、
前記棒状ヘッド体の先端の周回部分において前記窪み形状を囲繞する壁面である囲繞側壁体を備えたことを特徴とする棒状工具。
【請求項２】
前記囲繞側壁体が略筒状体であることを特徴とする請求項１に記載の棒状工具。
【請求項３】
前記囲繞側壁体の内壁面であって、前記窪み形状の縁につながる内壁面が前記囲繞側壁体の先端から前記窪み形状の縁にかけて内側に絞られたテーパーを備えたものであることを特徴とする請求項１または２に記載の棒状工具。
【請求項４】
前記棒状ヘッド体の前記窪み形状よりも後方の外壁面に設けられたくびれ状のバッファ空間と、
前記バッファ空間を形成する面のうち前記棒状ヘッド体の先端側の面に設けられた第２の窪み形状と、
前記バッファ空間のエッジの周回部分であって、前記第２の窪み形状を囲繞する壁面である第２の囲繞側壁体を備えたことを特徴とする請求項１から３のいずれかに記載の棒状工具。
【請求項５】
前記第２の囲繞側壁体が略筒状体であることを特徴とする請求項４に記載の棒状工具。
【請求項６】
前記第２の囲繞側壁体の内壁面であって、前記第２の窪み形状の縁につながる内壁面が前記第２の囲繞側壁体の先端から前記第２の窪み形状の縁にかけて内側に絞られたテーパーを備えたものであることを特徴とする請求項４または５に記載の棒状工具。
【請求項７】
前記バッファ空間を形成する面のうち前記棒状ヘッド体の後方側の面に設けられた第３の窪み形状と、
前記バッファ空間のエッジの周回部分であって、前記第３の窪み形状を囲繞する壁面である第３の囲繞側壁体を備えたことを特徴とする請求項１から６のいずれかに記載の棒状工具。
【請求項８】
前記第３の囲繞側壁体が略筒状体であることを特徴とする請求項７に記載の棒状工具。
【請求項９】
前記第３の囲繞側壁体の内壁面であって、前記第３の窪み形状の縁につながる内壁面が前記第３の囲繞側壁体の先端から前記第３の窪み形状の縁にかけて内側に絞られたテーパーを備えたものであることを特徴とする請求項７または８に記載の棒状工具。
【請求項１０】
請求項１から９のいずれかに記載の前記棒状工具と前記筒体を備え、前記棒状工具を用いて前記筒体内にアクセスできる装置。
【請求項１１】
前記棒状工具を把持するアーム機構とチャック機構を含み、旋回動作や昇降動作を行なうロボットアームを備え、
前記ロボットアームにより把持した前記棒状工具によって前記筒体内にアクセスすることを可能とした請求項１０に記載の装置。
【請求項１２】
前記筒体が、工業材料が充填されたカートリッジであり、
前記カートリッジの下方に前記工業材料の供給を受けるシリンダー体を備え、
前記棒状工具を前記カートリッジ内に押し入れて前記カートリッジに充填されている前記工業材料を下方にある前記シリンダー体の中に押し出す、前記工業材料の供給工程を含む請求項１０または１１に記載の装置。
【請求項１３】
前記筒体が、工業材料が充填されたシリンダー体であり、
前記棒状工具を前記シリンダー体内に押し入れて前記シリンダーの縁や内壁面に付着している前記工業材料を下方に押し入れる、前記工業材料の供給工程を含む請求項１０または１１に記載の装置。
【発明の詳細な説明】
【技術分野】
【０００１】
本発明は、筒体を含む装置において、少なくともその一部が前記筒体の内径に適合する外径を備えた部分を有し、前記筒体の内部に押し込む棒状工具に関する。また、当該棒状工具を用いて筒体内にアクセスできる装置に関する。当該装置としてはカートリッジやシリンダーを備えた装置一般に適用できるが、例えば、メルトフローレート測定装置などがある。
【背景技術】
【０００２】
熱可塑性樹脂素材は製造物の成形において多用され、重要な工業素材であり、例えば、射出成型などの素材として用いられる。射出成型機において射出成型される際、熱可塑性樹脂素材の流動性は、品質管理に影響する重要な物性である。この熱可塑性樹脂素材の流動性は、一定の温度と圧力の条件の下で溶融した熱可塑性樹脂を所定の長さと直径のダイと称するオリフィスを通して押し出した時の押出速度を測定することによって求めることが出来る。この値はメルトフローレートと言われており、その測定方法は日本工業規格に詳しく規定されている。
【０００３】
メルトフローレートは、主に、エチレン・酢酸ビニル樹脂（ＥＶＡ）、ポリエチレン、ポリプロピレン、ポリアセタール、セルロース、アセテート、ポリスチレン、ＡＢＳ樹脂、アクリル樹脂、ポリアミド、ポリカーボネート等の熱可塑性樹脂を対象に測定される。
JIS K7210-1：2014には、規定の温度及び荷重の試験条件における熱可塑性プラスチック材料のメルトマスフローレイト（MFR）及びメルトボリュームフローレイト（MVR）を求める測定方法について規定されている。
【０００４】
メルトマスフローレイト（MFR）では、プラストメータのシリンダーが電熱手段で加熱されて内部の熱可塑性プラスチック材料が溶融され、シリンダー内の温度、荷重及びピストンの位置について、規定の条件下で規定の長さ及び直径をもつダイと称するオリフィスから溶融した樹脂を押し出す速度を測定し、その速度と溶融密度より規定の時間で押し出される質量として求められる。
また、メルトボリュームフローレイト（MVR）では、プラストメータのシリンダーが電熱手段で加熱されて内部の熱可塑性プラスチック材料が溶融され、シリンダー内の温度、荷重及びピストンの位置について、規定の条件下で規定の長さ及び直径をもつダイと称するオリフィスから溶融した樹脂を押し出す速度が測定され、その速度より規定の時間で押し出される体積として求められる。
【０００５】
いずれの測定方法においても、プラストメータのシリンダーが電熱手段で加熱されて内部の熱可塑性プラスチック材料が溶融された後、ダイと称するオリフィスから溶融した樹脂を押し出す速度が測定される。
このようなメルトフローレート測定装置など、測定の過程において、測定装置内のシリンダーの試料を電熱手段などで溶融し、その溶融された試料の物性を計測するものが従来からある。
【０００６】
図１２は、特許文献１に示す従来技術におけるメルトフローレート自動測定装置の構成例を示す図である。測定に際しては、樹脂処理装置(38)からサンプル試料をシリンダー(10)内に投入し、所定温度でサンプル試料を溶融する。その後、ピストン(14)をシリンダー(10)内に挿入し、更にピストン(14)上に所定の重錘を乗せることにより、定温、定圧の下で溶融状態のサンプル試料をオリフィス(20)から押し出す。所定時間内にオリフィス(20)から押し出された試料を秤量してメルトフローレートを求めるものである。
【０００７】
図１３は、特許文献２に示す従来技術における試料のシリンダー内への装填供給の例を示す図である。試料ホルダー（１）のシャッター（３）を閉じた状態で試料を投入し、押し込み棒（１４）で押し込んで所定量の試料を充填しておく。
次に、ロボットハンド（１２）で試料ホルダー（１）が電熱炉（９）の測定シリンダー（６）上部の開口に嵌合され、チャック（７）を閉じて試料ホルダー（１）を保持固定する。その後、試料ホルダー下部開口のシャッター（３）を開放する。
次に、ロボットハンド（１２）により試料ホルダー（１）の上部開口（４）から押し込み棒（１４）を試料ホルダー（１）内に押し込み、電熱炉で加熱された測定シリンダー（６）に試料を押し込み装入する。
材料となる試料ホルダー（１）から試料を測定シリンダー（６）に装填供給するための従来の工具は、試料ホルダー（１）内径に応じた外径を備えた丸棒材であった。
【０００８】
【特許文献１】実公平６−８５３５号
【特許文献２】特開平６−１９４２９５号
【非特許文献１】ＪＩＳ Ｋ７２１０−１：２０１４
【発明の開示】
【発明が解決しようとする課題】
【０００９】
上記したように、メルトフローレート測定装置など、測定の過程において、測定装置内のシリンダーの試料を電熱手段などで溶融し、その溶融された試料の物性を計測するものが従来から存在するが、それら装置において共通に問題となっていた点が、材料となる試料のシリンダー内への装填供給、および、測定後のシリンダー内の清掃である。
従来技術では、この丸棒材である押し込み棒（１４）により試料を試料ホルダー（１）に押し込んで充填する際、および、押し込み棒（１４）により試料ホルダー（１）内の試料を測定シリンダー（６）に押し込み装入する際のいずれにおいても、試料ホルダー（１）内で試料が引っ掛かり、押し込み棒（１４）がうまく押し込めなかったり、押し込みに相当大きな力を要し、作業を困難なものにしたりする不具合があった。
【００１０】
特に、試料が熱可塑性樹脂の場合、常温であればペレット状や粒状の状態で固形であるが、比較的柔らかく若干の粘着性を持つものも多い。このような熱可塑性樹脂の試料は試料ホルダー（１）の壁面に付着しやすく、かつ変形しやすいので、押し込み棒（１４）で押下圧力を加えてゆくと、押し込み棒（１４）と試料ホルダー（１）のわずかな隙間にペレット状や粒状の試料の一部が入り込んだり挟まったりしてしまい、その粘着性により相当な摩擦力を生じて、押し込み棒（１４）による試料ホルダー（１）への試料の押し込みが阻害されたり、大きな力が必要になってしまうことがあった。
【００１１】
試料を充填したカートリッジから試料を押し出すための従来工具は丸棒材であった。カートリッジ内の試料を突き出すことで試料を供給していた。
しかし、粘着性のある試料を突き出すことは難しく、材料供給作業が困難となっていた。
【００１２】
発明者和田章は、このように試料ホルダーとなるカートリッジへのアクセスを容易にできる棒状工具について研究を重ねたところ、上記したメルトフローレート測定装置のみならず筒体を伴う装置一般において、筒体内部の充填物に対して簡単にアクセスして操作でき、筒体（試料充填のカートリッジ）内部の工業材料などを押し出して工業材料の供給工程に使用することができる棒状工具を発明するに至った。
【００１３】
本発明は、筒体を含む装置一般について、当該筒体の内部に押し込んで筒体内にアクセスできる棒状工具およびそれを用いる装置を提供することを目的とする。当該装置としてはカートリッジやシリンダーを備えた装置一般に適用できるが、例えば、メルトフローレート測定装置などがある。
【課題を解決するための手段】
【００１４】
上記目的を達成するため、本発明の棒状工具は、筒体を含む装置における前記筒体の内部に押し込む棒状工具であって、前記筒体の内径に適した外径を持った棒状ヘッド体と、前記棒状ヘッド体の先端面に設けられた窪み形状と、前記棒状ヘッド体の先端の周回部分において前記窪み形状を囲繞する壁面である囲繞側壁体を備えたことを特徴とする棒状工具である。
【００１５】
囲繞側壁体の形状としては略筒状体とすることができる。また、囲繞側壁体の内壁面であって、窪み形状の縁につながる内壁面が囲繞側壁体の先端から窪み形状の縁にかけて内側に絞られたテーパーを備えたものとすることもできる。
囲繞側壁体が略筒状体であれば、囲繞側壁体の先端において均等に力を掛けることができ、全方位について漏れなく内部の充填物を捉えることができる。
また、テーパーが設けられていれば、囲繞側壁体の先端で捉えた内部の充填物を内側に絞るように集めることができ、棒状ヘッド体の外方へ逃げないように導くことができ、充填物が棒状工具の外壁面と筒体の内壁面に挟まってしまう不具合を回避しやすくなる。
【００１６】
次に、上記構成に以下の工夫を施すこともできる。
棒状ヘッド体の窪み形状よりも後方の外壁面に設けられたくびれ状のバッファ空間と、バッファ空間を形成する面のうち棒状ヘッド体の先端側の面に設けられた第２の窪み形状と、バッファ空間のエッジの周回部分であって、第２の窪み形状を囲繞する壁面である第２の囲繞側壁体を備えた構造とする工夫である。
なお、上記の第２の囲繞側壁体の形状としても、略筒状体とすることができ、さらに第２の窪み形状の縁につながる内壁面について、第２の囲繞側壁体の先端から第２の窪み形状の縁にかけて内側に絞られたテーパーを備えたものとすることもできる。
上記の工夫を施しておけば、棒状ヘッド体側にバッファ空間を持たせれば、筒体内壁と棒状ヘッド体の外壁の間に仮に内部の充填物が入り込んでしまった場合でも、それをバッファ空間に逃がすことができる。もし両者間にバッファ空間がなければ、筒体内壁と棒状ヘッド体の外壁の間で充填物が挟まったまま抵抗体として棒状工具の動きを阻害してしまう。上記構成であれば、充填物がバッファ空間に逃げるので棒状工具の動きを阻害することがない。
【００１７】
また、上記構成において棒状工具の棒状ヘッド体を引き抜く方向に動かす場合に、バッファ空間に逃げた充填物が存在する場合、押し込み時と同様に、充填物がバッファ空間から抜け出てしまうと、筒体内壁と棒状ヘッド体の外壁の間で挟まってしまうおそれがあるが、引き抜き側にも、第２の窪み形状とそれを囲繞する第２の囲繞側壁体を設け、かつ内壁面にテーパー加工をしておけば、引き抜き時にも、第２の囲繞側壁体の先端で捉えたバッファ空間内部の充填物を内側に絞るように集めることができ、バッファ空間の外方へ逃げないように導くことができ、充填物が棒状工具の外壁面と筒体の内壁面に挟まってしまう不具合を回避しやすくなる。
【００１８】
次に、さらに、バッファ空間を形成する面のうち棒状ヘッド体の後方側の面に設けられた第３の窪み形状と、バッファ空間のエッジの周回部分であって、第３の窪み形状を囲繞する壁面である第３の囲繞側壁体を備えた構成とすることもできる。
上記の第３の囲繞側壁体の形状としても、略筒状体とすることができ、さらに第３の窪み形状の縁につながる内壁面について、第３の囲繞側壁体の先端から第３の窪み形状の縁にかけて内側に絞られたテーパーを備えたものとすることもできる。
バッファ空間に逃げた充填物が存在する場合、引き続き、棒状工具の棒状ヘッド体を押し込む方向に動かす場合に、内部の充填物がバッファ空間から抜け出てしまうと、さらに後方側において筒体内壁と棒状ヘッド体の外壁の間で挟まってしまうおそれがあるが、第３の窪み形状とそれを囲繞する第３の囲繞側壁体を設け、かつ内壁面にテーパー加工をしておけば、第３の囲繞側壁体の先端で捉えたバッファ空間内部の充填物を内側に絞るように集めることができ、バッファ空間の外方へ逃げないように内部に保持することができ、充填物が棒状工具の外壁面と筒体の内壁面に挟まってしまう不具合を回避しやすくなる。
【００１９】
次に、本発明の装置は、上記構成の棒状工具と筒体を備えたものであれば良い。棒状工具を用いて筒体内にアクセスできる。
また、本発明の装置としては、棒状工具を把持するアーム機構とチャック機構を含んで旋回動作や昇降動作を行なうロボットアームを備えたものでも良い。ロボットアームにより把持した棒状工具によって筒体内にアクセスすることを可能となる。
一例としては、筒体が、工業材料が充填されたカートリッジであり、カートリッジの下方に工業材料の供給を受けるシリンダー体を筒体として備えており、棒状工具をカートリッジ内に押し入れてカートリッジに充填されている工業材料を下方にあるシリンダー体の中に押し出すという工業材料の供給工程を含む装置がある。例えば、メルトフローレート測定装置である。
【００２０】
また、本発明の装置としては、筒体が、工業材料が充填されたシリンダー体であり、上方から投入した工業材料がシリンダーの縁や内壁面に付着してシリンダー内に完全に収まりきれていない工業材料を，棒状工具をシリンダー体内に押し入れることによりシリンダー内の下方に押し入れる、工業材料の供給工程を含む装置がある。例えば、メルトフローレート測定装置である。
【発明の効果】
【００２１】
本発明にかかる棒状工具によれば、棒状ヘッド体の先端に設けられた窪み形状に周回して立設されている囲繞側壁体が設けられており、囲繞側壁体が略筒状体であれば、囲繞側壁体の先端において均等に力を掛けることができ、全方位について漏れなく内部の充填物を捉えることができる。
また、囲繞側壁体の内壁面にテーパーが設けられていれば、囲繞側壁体の先端で捉えた内部の充填物を内側に絞るように集めることができ、棒状ヘッド体の外方へ逃げないように導くことができ、充填物が棒状工具の外壁面と筒体の内壁面に挟まってしまう不具合を回避しやすくなる。
また、棒状ヘッド体側にバッファ空間を持たせれば、筒体内壁と棒状ヘッド体の外壁の間に充填物が入り込んでしまった場合でも、入り込んでしまった充填物をバッファ空間に逃がすことができる。バッファ空間において、棒状ヘッド体の先端側の面にある第２の窪み形状を囲繞する第２の囲繞側壁体、棒状ヘッド体の後方側の面にある第３の窪み形状を囲繞する第３の囲繞側壁体を設けておくことで、バッファ空間に逃げた充填物が棒状工具の引き抜き方向にも棒状工具の押し込み方向にも、テーパーにより内部に集められて保持され、棒状工具の動きを阻害することがない。
本発明にかかるシリンダーを備えた装置は、棒状工具を含んでいるので筒体に対するアクセスが簡単かつ確実に行われる。
【図面の簡単な説明】
【００２２】
【図１】本実施例１に係る棒状工具１００の構成を簡単に示した構成図である。
【図２】カートリッジである筒体２１０ａ内部の試料を、棒状工具１００を用いて突き出している様子を簡単に示す図である。
【図３】囲繞側壁体１４０とテーパー面１４１の働きを分かりやすく拡大した図である。
【図４】工業材料（試料）の供給工程において棒状工具により供給支援を行っている様子を示す図である。
【図５】本実施例２に示す棒状工具１００−１の構成を模式的に示した構成図である。
【図６】工業材料（試料）の供給工程において実施例２の棒状工具１００−１により供給支援を行っている様子を示す図である。
【図７】第２の囲繞側壁体１７０とテーパー面１７１の働きおよび第３の囲繞側壁体１９０とテーパー面１９１の働きを分かりやすく拡大した図である。
【図８】本実施例３に示すメルトフロー自動測定装置２００の構成を模式的に示した構成図である。
【図９】溶融樹脂試料の投入処理を簡単に示す図である。
【図１０】メルトフローレートを測定する様子を簡単に示す図である。
【図１１】本発明のメルトフロー自動測定装置２００を用いたメルトフロー自動測定の手順について示したフローチャートである。
【図１２】従来技術におけるメルトフローレート自動測定装置の構成例を示す図である。
【図１３】従来技術におけるメルトフローレート自動測定装置の構成例を示す図である。
【発明を実施するための最良の形態】
【００２３】
以下、本発明のシリンダーを備えた装置の棒状工具およびそれを用いた装置の実施例を説明する。なお、本発明はこれらの実施例に限定されるものではない。以下の実施例では、装置としてメルトフロー測定装置を例に説明するが、本発明の装置は、筒体を備えたものであれば良い。また、本発明の範囲は以下の実施例に示した具体的な用途、形状、個数などには限定されないことは言うまでもない。
【実施例１】
【００２４】
図１は、本実施例１に係る棒状工具１００の構成を簡単に示した構成図である。
図１（ａ）は正面図、図１（ｂ）は下方から見た斜視図、図１（ｃ）は縦切断面の端面図となっている。
図１に示す棒状工具１００は、筒体を含む装置一般について、筒体内部にアクセスする作業に用いる棒状工具である。実施例１にかかる棒状工具は、図１に示すように、軸体１１０、棒状ヘッド体１２０、窪み形状１３０、囲繞側壁体１４０、テーパー面１４１を備えた構成となっている。
【００２５】
軸体１１０は、棒状の棒状工具１００を形成するベースとなるものである。
素材は特に限定されないが、例えば、ステンレス鋼などで良い。
軸体１１０の外径は、図１の例では、棒状ヘッド体１２０の外径と同様、筒体２１０の内径に適したものとなっているが、必ずしも筒体２１０の内径に適したものでなくとも良く、手やロボットアームで把持でき、先端の棒状ヘッド体１２０を操作できるものであれば、筒体２１０の内径より小さなものでも良い。
【００２６】
棒状ヘッド体１２０は、筒体２１０の内径に適した外径を持ったもので、筒体２１０の内壁面を擦りつつ通過できるものとなっている。
【００２７】
窪み形状１３０は、棒状ヘッド体１２０の先端面に設けられた窪みである。図１では円形の形状となっている。
【００２８】
囲繞側壁体１４０は、棒状ヘッド体１２０の先端の周回部分であって、窪み形状１３０を囲繞するよう立設されている壁面である。
なお、図１の構成例では、囲繞側壁体１４０が略筒状体となっている。
この例では囲繞側壁体１４０の内壁面がテーパー面１４１となっている。このテーパー面１４１は、囲繞側壁体１４０の内壁面を形成している面であって、図１（ｃ）に示すように、囲繞側壁体１４０の先端から窪み形状１３０の縁にかけて内側に絞られたテーパーとなっている。つまり、囲繞側壁体１４０の付け根は窪み形状１３０の縁につながっており、囲繞側壁体１４０の進行方向にあり当接したものは内側に導かれるようなテーパー面となっている。
【００２９】
以下、実施例１の棒状工具１００の操作と効果を説明する。
棒状工具１００が筒体２１０の内部にアクセスするケースとして様々な利用シーンが想定されるが、ここでは、２つの利用シーンを説明する。
第１の利用シーンとして、筒体２１０が、工業材料（試料）が充填されたカートリッジ（試料ホルダー）であり、棒状工具１００をカートリッジである筒体２１０内に押し込んでカートリッジに充填されている工業材料を下方にある装置の材料投入用のシリンダー体（図示せず）の中に押し出すという、工業材料の供給工程の利用シーンである。
第２の利用シーンとして、筒体２１０が、測定などの用途で用いられる装置内の測定シリンダー体であり、工業材料（試料）を供給充填しようとする際に測定シリンダー体の縁などに試料の一部が粘性などにより開口部に貼り付いてしまった場合において、棒状工具１００により測定シリンダーである筒体２１０の開口から筒体２１０の内部に押し込んで試料を所定量押し込むという、工業材料の供給支援の工程の利用シーンである。
【００３０】
まず、第１の利用シーンである工業材料の供給工程の利用シーンについて説明する。筒体は工業材料が充填されたカートリッジであり、ここでは付番を筒体２１０ａとする。
図２は、カートリッジである筒体２１０ａ内部の試料を、棒状工具１００を用いて突き出している様子を簡単に示す図である。
図２に示すように、カートリッジである筒体２１０ａの底面にはシャッター２１１ａが設けられ、下面開口が開閉可能な構造となっている。図２（ａ）の状態ではシャッター２１１ａが閉鎖されており、内部に充填物である試料３００が充填されている。上面は棒状工具１００を受け入れるための上面開口がある。ここでは上面は開放されている。
【００３１】
次に、図２（ｂ）に示すように、底面のシャッター２１１ａがスライドして筒体２１０ａの底面が開放され、筒体２１０ａの上面から棒状工具１００が押し込まれて行く。なお、棒状工具１００の押し込みは手作業でもロボットアームによる自動作業でもよい。この棒状工具１００をカートリッジである筒体２１０ａ内に押し込んでゆくことにより、内部の充填物である試料３００が押し出されて落下して行く。
【００３２】
ここで、囲繞側壁体１４０とテーパー面１４１の働きを分かりやすく拡大した図３を参照する。図３（ａ）に示すように、囲繞側壁体１４０の先端は鋭く尖っており、カートリッジである筒体２１０ａの内壁面をこそぐように当てられた状態で移動している。カートリッジである筒体２１０ａの内壁面にこの鋭く尖った囲繞側壁体１４０が当てられつつ充填物が押下されて行く。ここで、試料に多少の粘性があっても囲繞側壁体１４０のテーパー面１４１に沿って内側に導かれ、窪み形状１３０に導かれてゆく。窪み形状１３０は、試料を受け止める空間を提供するため、押下された試料が受け止められる。
【００３３】
もし、窪み形状１３０がなければ、図３（ｂ）に示すように、カートリッジである筒体２１０ａの内壁面近くにある試料が筒体２１０ａ内で行き場がなく、筒体２１０ａの内壁面と棒状ヘッド体１２０の外壁面の間に挟まってしまい、抵抗体となってしまい供給作業を邪魔してしまう。
しかし、図３（ａ）のように、本発明の棒状工具１００であれば、囲繞側壁体１４０と窪み形状１３０があればそのような不具合は発生しない。
【００３４】
図２（ｂ）の状態において、落下した試料は、筒体２１０ａの下方の開口端から落下することで供給工程において供給される。
図２（ｃ）の状態は、棒状工具１００によりカートリッジである筒体２１０ａが挿通され、筒体２１０ａ内の試料がすべて突き落とされて下方の装置の所定の材料供給箇所へ供給され、カートリッジである筒体２１０ａからの充填物である試料の供給工程が完了する。
【００３５】
次に、第２の利用シーンである工業材料の供給工程における供給支援の利用シーンについて説明する。
第２の利用シーンでは、筒体は測定などの用途で用いられる装置内の測定シリンダー体であり、ここでは付番を筒体２１０ｂとする。
図４は、工業材料（試料）の供給工程において棒状工具により供給支援を行っている様子を示す図である。なお、装置２００のうち測定シリンダー体である筒体２１０ｂのみが図示されており、装置２００の他の構成要素は図示されていない。
【００３６】
図４（ａ）に示すように、試料を供給充填しようとする際に測定シリンダー体である筒体２１０ｂの縁などに試料の一部が粘性などにより開口部に貼り付いてしまうことがあり得る。特に、手作業で試料を筒体２１０ｂに投入している際に生じることが多い。なお、図４（ａ）では既に投入に成功した試料が測定シリンダー体である筒体２１０ｂの内部にある。
【００３７】
図４（ｂ）に示すように、棒状工具１００により測定シリンダーである筒体２１０ｂの開口付近に貼り付いている試料を筒体２１０ｂの内部に押し込む。
この際に図３で説明した原理により、筒体２１０ｂの開口付近に貼り付いている試料が囲繞側壁体１４０のテーパー面１４１に沿って内側に導かれ窪み形状１３０に導かれてゆく。外側には逃げないため、位置が内向きに整えられてそのまま測定シリンダー体である筒体２１０ｂの内部に落とされて行く。
図４（ｃ）に示すように、棒状工具１００により測定シリンダーである筒体２１０ｂの内部に突き落とされた試料は、既に投入済みの試料の上に載せられて、適度な圧力で試料全体の姿勢が整えられてゆく。
【実施例２】
【００３８】
図５は、本実施例２に示す棒状工具１００−１の構成を模式的に示した構成図である。
図５（ａ）は正面図、図５（ｂ）は下方から見た斜視図、図５（ｃ）は上方から見た斜視図、図５（ｄ）は縦切断面の端面図となっている。
図５に示す棒状工具１００−１も、実施例１と同様、筒体を含む装置一般について、筒体内部にアクセスする作業に用いる棒状工具である。
実施例２にかかる棒状工具１００−１は、図５に示すように、軸体１１０、棒状ヘッド体１２０、窪み形状１３０、囲繞側壁体１４０、テーパー面１４１、バッファ空間１５０、第２の窪み形状１６０、第２の囲繞側壁体１７０、第２のテーパー面１７１、第３の窪み形状１８０、第３の囲繞側壁体１９０、第３のテーパー面１９１を備えた構成となっている。
図５に示す軸体１１０、棒状ヘッド体１２０、窪み形状１３０、囲繞側壁体１４０、テーパー面１４１は、実施例１に示したものと同様で良いので、ここでの説明は省略する。
【００３９】
バッファ空間１５０は、軸体１１０または棒状ヘッド体１２０の途中に設けられたくびれ状の空間であり、棒状ヘッド体１２０の窪み形状１３０よりも後方の外壁面に設けられている。図５の例では、窪み形状１３０の底面よりも後方側の棒状ヘッド体１２０に周回状にバッファ空間１５０が設けられている。
バッファ空間１５０を形成しているエッジの外径は、筒体２１０の内径に適した外径を持ったものとなっており、筒体２１０の内壁面に沿って移動するものとなっている。
【００４０】
第２の窪み形状１６０は、図５（ｃ）に示すように、バッファ空間を形成するエッジ面のうち、先端側の面に設けられている。つまり、第２の窪み形状１６０は窪み形状１３０と逆方向で背中合わせに設けられている。なお、図５では第２の窪み形状１６０は円形の形状となっている。
【００４１】
第２の囲繞側壁体１７０は、バッファ空間１５０のエッジの周回部分であって、第２の窪み形状１６０を囲繞するよう立設されている壁面である。
なお、図５の構成例では、第２の囲繞側壁体１７０が略筒状体となっている。
第２のテーパー面１７１は、第２の囲繞側壁体１７０の内壁面を形成している面であって、図５（ｃ）および図５（ｄ）に示すように、内側に絞られたテーパーとなっている。第２の囲繞側壁体１７０の付け根は第２の窪み形状１６０の縁につながっており、第２の囲繞側壁体１７０当接したものが内側に導かれるようなテーパー面となっている。
【００４２】
第３の窪み形状１８０は、図５（ｂ）に示すように、バッファ空間を形成するエッジ面のうち、後方側の面に設けられている。つまり、第３の窪み形状１８０は窪み形状１３０と同じ方向に段違いに設けられている。なお、図５では第３の窪み形状１８０は円形の形状となっている。
第３の囲繞側壁体１９０は、バッファ空間１５０のエッジの周回部分であって、第３の窪み形状１８０を囲繞するよう立設されている壁面である。
なお、図５の構成例では、第３の囲繞側壁体１９０が略筒状体となっている。
第３のテーパー面１９１は、第３の囲繞側壁体１９０の内壁面を形成している面であって、図５（ｂ）および図５（ｄ）に示すように、内側に絞られたテーパーとなっている。第３の囲繞側壁体１９０の付け根は第３の窪み形状１８０の縁につながっており、第３の囲繞側壁体１９０に当接したものが内側に導かれるようなテーパー面となっている。
【００４３】
以下、実施例２の棒状工具１００−１の操作および効果を説明する。
この実施例２の棒状工具１００−１についても、実施例１と同様、様々な利用シーンが想定され、例えば、実施例１で示したような第１の利用シーンから第３の利用シーンがある。ここでは、代表的に第１の利用シーンについて説明するが、第２の利用シーンについても、実施例１と同様の操作と効果を考えれば良い。
【００４４】
以下、第１の利用シーンである工業材料の供給工程の利用シーンを例に実施例２にかかる棒状工具１００−１の動きと効果を説明する。筒体は工業材料が充填されたカートリッジであり、ここでは付番を実施例１と同様、筒体２１０ａとする。
【００４５】
図６は、工業材料（試料）の供給工程において実施例２の棒状工具１００−１により供給支援を行っている様子を示す図である。
図６に示すように、カートリッジである筒体２１０ａの底面にはシャッター２１１ａが設けられ、下面開口が開閉可能な構造となっている。図６（ａ）の状態ではシャッター２１１ａが閉鎖されており、内部に充填物である試料３００が充填されている。上面は棒状工具１００−１を受け入れるための上面開口がある。ここでは上面は開放されている。
【００４６】
次に、図６（ｂ）に示すように、底面のシャッター２１１ａがスライドして筒体２１０ａの底面が開放され、筒体２１０ａの上面から棒状工具１００−１が押し込まれて行く。なお、棒状工具１００−１の押し込みは手作業でもロボットアームによる自動作業でもよい。この棒状工具１００−１をカートリッジである筒体２１０ａ内に押し込んでゆくことにより、内部の充填物である試料３００が押し出されて落下して行く。
【００４７】
ここでは、図６（ｂ）に示すように、棒状ヘッド体１２０の先端に設けられた窪み形状１３０、囲繞側壁体１４０、テーパー面１４１などを設けていても、少量の試料３００が棒状ヘッド体１２０と筒体２１０ａとの間に入り込んで後方側に入り込んだ状態が示されている。
図６（ｂ）に示すように、実施例２の棒状工具１００−１には、バッファ空間１５０が設けられているため、棒状ヘッド体１２０と筒体２１０ａとの間に入り込んで後方側に来た試料３００は、大きく開口しているバッファ空間１５０に逃げ込んで収納される。
図６（ｂ）に示すように、このバッファ空間１５０の上面側には、第３の窪み形状１８０と、第３の囲繞側壁体１９０と、テーパー１９１を備えたものとなっており、また、このバッファ空間１５０の下面側には、第２の窪み形状１６０と、第２の囲繞側壁体１７０と、テーパー１７１を備えたものとなっている。
図６（ｂ）の状態は、棒状工具１００−１がカートリッジである筒体２１０ａの進行方向に押し込まれているので、バッファ空間１５０に逃げ込んだ試料３００は、バッファ空間１５０の第３の囲繞側壁体１９０とテーパー１９１で内側に導かれ、バッファ空間１５０の上面にある第３の窪み形状１８０に収納される。
【００４８】
カートリッジである筒体２１０ａの充填物を押し出した後、棒状工具１００−１をカートリッジである筒体２１０ａから引き抜くが、その際にバッファ空間１５０の上面の第３の窪み形状１８０に収納された試料３００が外側に逃げて棒状ヘッド体１２０と筒体２１０ａとの間に入り込まないようにする必要がある。そこで、第２の窪み形状１６０と、第２の囲繞側壁体１７０と、テーパー１７１が設けられている。
図６（ｃ）の状態は、棒状工具１００−１はカートリッジである筒体２１０ａの引き抜き方向に引き戻されているので、バッファ空間１５０の試料３００は、バッファ空間１５０の第２の囲繞側壁体１７０とテーパー１７１で内側に導かれ、バッファ空間１５０の下面にある第２の窪み形状１６０に収納される。
【００４９】
ここで、第２の囲繞側壁体１７０とテーパー面１７１の働き、および、第３の囲繞側壁体１９０とテーパー面１９１の働きを分かりやすく拡大した図７を参照する。
図７（ａ）に示すように、棒状工具１００−１はカートリッジである筒体２１０ａの進行方向に押し込まれている。第３の囲繞側壁体１９０の先端は鋭く尖っており、カートリッジである筒体２１０ａの内壁面をこそぐように当てられた状態で移動している。カートリッジである筒体２１０ａの内壁面にこの鋭く尖った第３の囲繞側壁体１９０が当てられつつ充填物が押下されて行く。ここで、試料に多少の粘性があっても第３の囲繞側壁体１９０のテーパー面１９１に沿って内側に導かれ、第３の窪み形状１８０に導かれてゆく。
図７（ｂ）に示すように、棒状工具１００−１はカートリッジである筒体２１０ａの引き抜き方向に移動しているので、第２の囲繞側壁体１７０の先端は鋭く尖っており、カートリッジである筒体２１０ａの内壁面をこそぐように当てられた状態で移動している。カートリッジである筒体２１０ａの内壁面にこの鋭く尖った第２の囲繞側壁体１７０が当てられつつ充填物が引き抜かれて行く。ここで、試料に多少の粘性があっても第２の囲繞側壁体１７０のテーパー面１７１に沿って内側に導かれ、第２の窪み形状１６０に導かれてゆく。
【実施例３】
【００５０】
実施例３として、シリンダー２１０および棒状工具１００を備えている本発明の装置２００の例を示す。ここでは装置２００の例としてメルトフロー測定装置で自動式のものを挙げるが、手動式のものでも良い。
図８は、本実施例３に示すメルトフロー自動測定装置２００の構成を模式的に示した構成図である。
【００５１】
本実施例３に示すメルトフロー自動測定装置２００は、図８に示すように、試料３００を供給するカートリッジである筒体２１０ａ、測定シリンダーである筒体２１０ｂ、オリフィス２２０、ピストン２３０、ピストン駆動機構２４０、押込距離計測装置２５０、制御部２６０、ロボットアーム２７０、そして実施例１で説明した棒状工具１００、または実施例２で説明した棒状工具１００−１を備えた構成となっている。なお、図中では棒状工具として、実施例１で説明した棒状工具１００のみが代表的に図示されている。
【００５２】
試料３００を供給するカートリッジである筒体２１０ａは実施例１で説明した図２に示す筒体２１０ａと同様のタイプとなるので、ここでは付番は筒体２１０ａとする。
【００５３】
測定シリンダーである筒体２１０ｂは円筒形の筒体であり、これに対応するピストン２３０を嵌合することによりピストンヘッド側室を形成する。このピストンヘッド側室となるシリンダーである筒体２１０ｂの内部に対して、メルトフローレートを測定するサンプル試料が投入される。
本実施例３における測定シリンダーである筒体２１０ｂは実施例１で説明した図４に示す筒体２１０ｂと同様のタイプとなるので、ここでは付番は筒体２１０ｂとする。
【００５４】
ピストンヘッド側室の先端のシリンダー壁面付近にはオリフィス２２０が取り付けられている。なお、測定シリンダーである筒体２１０ｂに投入された溶融樹脂サンプルがメルトフローレート計測の間に所定の溶融状態を保つことができるよう、測定シリンダーである筒体２１０ｂを適切に加熱保温する加熱手段２１２を備えている。例えば、測定シリンダーである筒体２１０ｂの外壁面側から壁面を加熱する加熱手段２１２が付加されている構造で良いが、測定シリンダーである筒体２１０ｂの壁面に加熱手段２１２が内蔵されている構造や、測定シリンダーである筒体２１０ｂ自体に対していわゆる誘導加熱（ＩＨ：Induction Heating）効果を与える加熱手段２１２であっても良い。
なお、測定シリンダーである筒体２１０ｂの周囲は断熱材２１３により囲まれていることが好ましい。メルトフロー測定中は測定シリンダーである筒体２１０ｂの温度が一定であることが必要であるため、外界との間で熱交換が起きにくいように断熱材２１３で周囲を囲む工夫をしている。
【００５５】
オリフィス２２０は、測定シリンダーである筒体２１０ｂの先端付近（底面付近）に取り付けられた小孔体である。このオリフィス２２０を介して、ピストンヘッド側室に充填されている溶融樹脂試料がピストン２３０の圧力により押し出されて外方へ吐出され、その際にメルトフローレートが測定される。
本発明では、オリフィス２２０は、測定シリンダーである筒体２１０ｂ内壁面を清掃する際には取り外すことも可能な構造となっており、測定シリンダーである筒体２１０ｂの下面は開放できる仕組みとなっている。
【００５６】
次に、ピストン２３０は、その外径がシリンダー２１０ｂの内径に適合するものとなっており、測定シリンダーである筒体２１０ｂにはまり込むことによりピストン側室内の溶融樹脂を押し出すことができる。
【００５７】
ピストン駆動機構２４０は、測定シリンダーである筒体２１０ｂから突出しているピストンロッド２３１を軸方向に駆動可能に保持しており、溶融樹脂の流動力を発生させるためにピストンロッド２３１を介してピストン２３０に往復駆動力を与える機構であり、一定力でピストン２３０を押し込み可能である。
【００５８】
押込距離計測装置２５０は、移動距離を計測する装置であり、ピストンロッド２３１の付近に設けられており、ピストンロッド２３１の押込距離を計測することが可能である。この押込距離計測装置２５０で計測したピストンロッド２３１の押込距離をもとに溶融樹脂のメルトボリュームフローレートが計算される。
【００５９】
押込距離計測装置２５０によって計測されたピストンロッド２３１の押込距離は、制御部２６０へ送信される。
【００６０】
制御部２６０は、図示していない設定部、検出部、演算部、駆動部及び出力部を有しており、上記各装置との間で制御信号及びデータ信号の交信が可能であるとともに、メルトフローレートあるいは疑似メルトフローレートの演算が可能である。
ピストンロッド２３１の押込距離とピストン２３０のピストンヘッド側室２１１側の表面積とから溶融樹脂の体積Ｖが求められ、このＶと測定時間ｔと溶融樹脂の単位体積重量とからメルトボリュームフローレート（ＭＶＲ）あるいは疑似メルトフローレート（ＭＦＲ）が求められる。
【００６１】
ロボットアーム２７０は、アーム機構とチャック機構を含み、旋回動作や昇降動作を行なうもので、垂直移動、水平移動、回転などが自由に制御でき、また、先端のチャック機構により、様々な部材を掴んで移動させたりすることができるものである。図７ではロボットアーム２７０の詳しい機構は図示していないが、様々な機構が可能であり、従来技術においても多様なものが知られている。ここでは、少なくとも、溶融樹脂サンプルを測定シリンダーである筒体２１０ｂ内に投入する作業、メルトフローレートを測定後、測定シリンダーである筒体２１０ｂの内壁面やオリフィス２２０の孔を清掃する作業などを行うこととなる。
【００６２】
このように、ロボットアーム２７０を用いて各部材の位置関係を変位できれば、本発明の棒状工具１００、１００−１、カートリッジ２１０ａ、ピストン駆動機構２４０および押込距離計測装置２５０などを、メルトフローレートの測定や、メルトフローレートの測定後の清掃時において、適切に各部材を測定シリンダーである筒体２１０ｂに対して移動、変位、操作することにより自動化しやすくなり、メルトフローレートの測定から各部材の清掃までのすべてのステップを完全自動化しやすくなる。
【００６３】
以下、本発明のメルトフロー自動測定装置２００を用いたメルトフロー自動測定の手順について図１１のフローチャートを参照しつつ、順を追って説明する。
【００６４】
［メルトフローレートの測定開始］
メルトフローレートの測定開始の指示を受けると（図１１ステップＳ１：Ｙ）、溶融樹脂試料の投入ステップに移行する。
【００６５】
［溶融樹脂試料の投入ステップ（図１１ステップＳ２）］
シリンダー２１０ｂのピストンヘッド側室に対して、メルトフローレートを測定する樹脂試料を投入する。すべての手順が自動化されているため、この溶融樹脂サンプルの投入作業もロボットアーム２７０により行う。
図９は、樹脂試料の投入処理を簡単に示す図である。
まず、図９（ａ）に示すように、ロボットアーム２７０（動作は図示せず）により、樹脂試料を供給するカートリッジである筒体２１０ａをシリンダー２１０ｂのピストンヘッド側室に対して移動させ、測定シリンダー２１０ｂの上部にセットする。
カートリッジである筒体２１０ａを所定位置にセットすれば、次に、図９（ａ）に示すように、ロボットアーム２７０（動作は図示せず）により、棒状工具１００をカートリッジ２１０ａの上部にセットする。
次に、ロボットアーム２７０（動作は図示せず）により、棒状工具１００をカートリッジ２１０ａの中に押し込んでゆき、カートリッジ２１０ａの中の試料を下方から突き出し、樹脂試料を投入する。投入後は、ロボットアーム２７０（動作は図示せず）により、棒状工具１００およびカートリッジ２１０ａを測定シリンダーの筒内２１０ｂ上から取り去る。
【００６６】
［樹脂試料の溶融ステップ（図１１ステップＳ３）］
加熱手段２１２により加熱して測定シリンダーの筒内２１０ｂ内で溶融する。
【００６７】
［メルトフローレート測定状態の確認（図１１ステップＳ４）］
制御部２６０は、シリンダー内２１１内の溶融樹脂サンプルの状態がメルトフローレートの測定開始条件を満たしていることを確認できれば（図１１ステップＳ４：Ｙ）、溶融樹脂試料押し出しステップに移行する。
【００６８】
［樹脂押し出しステップ（図１１ステップＳ５）］
図１０はメルトフローレートを測定する様子を簡単に示す図である。
図１０に示すように、ロボットアーム２７０の操作により（動作は図示せず）ピストン駆動機構２４０と押込距離計測装置２５０を測定シリンダーである筒体２１０ｂに投入する。シリンダー２１０ｂにピストン２３０を押し込むことにより、シリンダー２１０ｂの底部付近に装着されているオリフィス２２０から、溶融された樹脂サンプルを押し出す。
【００６９】
［ピストン２３０の押し込み速度の測定ステップ（図１１ステップＳ６）］
樹脂押し出しステップにより、オリフィス２２０から溶融樹脂サンプルを押し出す作業を実行中、ピストン２３０の押し込み速度を押込距離計測装置２５０によって計測する。
制御部２６０は、メルトフローレートを算出してゆく。
【００７０】
［メルトフローレートの測定完了（図１１ステップＳ７）］
制御部２６０は、メルトフローレートを算出してゆき、メルトフローレートの測定が完了すると（図１１ステップＳ７：Ｙ）、メルトフローレートの測定自体は完了し、次回のメルトフローレートの測定に向けて清掃ステップに移行する。
【００７１】
［清掃ステップ（図１１ステップＳ８）］
次回のメルトフローレートの測定に向けて、各部の清掃作業を自動的に行う。
シリンダー２１０ｂの位置と姿勢を、メルトフローレートの測定時の位置と姿勢から清掃しやすい位置と姿勢に変化させても良い。
測定シリンダーである筒体２１０ｂの位置と姿勢を清掃しやすいように整えると、この構成例では、測定シリンダーである筒体２１０ｂの内壁面の清掃作業を実行する。
【００７２】
以上が、本発明のメルトフロー自動測定装置２００を用いたメルトフロー自動測定の手順の概略である。
【００７３】
以上、本発明のシリンダーを備えた装置の棒状工具および装置の構成例における好ましい実施形態を図示して説明してきたが、本発明の技術的範囲を逸脱することなく種々の変更が可能であることは理解されるであろう。
【産業上の利用可能性】
【００７４】
本発明の装置の棒状工具は、筒体を備えた装置の棒状工具として広く適用することができる。
本発明の装置は、筒体と本発明の棒状工具を備えたものであり、筒体の中に試料を投入して利用することができる。
【符号の説明】
【００７５】
１００，１００−１  棒状工具
１１０  軸体
１２０  棒状ヘッド体
１３０  窪み形状
１４０  囲繞側壁体
１４１  テーパー面
１５０  バッファ空間
１６０  第２の窪み形状
１７０  第２の囲繞側壁体
１７１  第２のテーパー面
１８０  第３の窪み形状
１９０  第３の囲繞側壁体
１９１  第３のテーパー面
２００  装置
２１０ａ  溶融樹脂供給部
２１０ｂ  シリンダー
２１１  ピストンヘッド側室
２１１ａ  シャッター
２１２  加熱手段
２１３  断熱材
２２０  オリフィス
２３０  ピストン
２３１  ピストンロッド
２４０  ピストン駆動機構
２５０  押込距離計測装置
２６０  制御部
２７０  ロボットアーム
３００  試料
【図１】
2020085445.tif 000003
【図２】
2020085445.tif 000004
【図３】
2020085445.tif 000005
【図４】
2020085445.tif 000006
【図５】
2020085445.tif 000007
【図６】
2020085445.tif 000008
【図７】
2020085445.tif 000009
【図８】
2020085445.tif 000010
【図９】
2020085445.tif 000011
【図１０】
2020085445.tif 000012
【図１１】
2020085445.tif 000013
【図１２】
2020085445.tif 000014
【図１３】
2020085445.tif 000015
【手続補正書】
【提出日】平成30年11月19日(2018.11.19)
【手続補正１】
【補正対象書類名】明細書
【補正対象項目名】００１９
【補正方法】変更
【補正の内容】
【００１９】
次に、本発明の装置は、上記構成の棒状工具と筒体を備えたものであれば良い。棒状工具を用いて筒体内にアクセスできる。
また、本発明の装置としては、棒状工具を把持するアーム機構とチャック機構を含んで旋回動作や昇降動作を行なうロボットアームを備えたものでも良い。ロボットアームにより把持した棒状工具によって筒体内にアクセスすることが可能となる。
一例としては、筒体が、工業材料が充填されたカートリッジであり、カートリッジの下方に工業材料の供給を受けるシリンダー体を筒体として備えており、棒状工具をカートリッジ内に押し入れてカートリッジに充填されている工業材料を下方にあるシリンダー体の中に押し出すという工業材料の供給工程を含む装置がある。例えば、メルトフローレート測定装置である。
【手続補正２】
【補正対象書類名】明細書
【補正対象項目名】００２２
【補正方法】変更
【補正の内容】
【００２２】
【図１】本実施例１に係る棒状工具１００の構成を簡単に示した構成図である。
【図２】カートリッジである筒体２１０ａ内部の試料を、棒状工具１００を用いて突き出している様子を簡単に示す図である。
【図３】囲繞側壁体１４０とテーパー面１４１の働きを分かりやすく拡大した図である。
【図４】工業材料（試料）の供給工程において棒状工具により供給支援を行っている様子を示す図である。
【図５】本実施例２に示す棒状工具１００−１の構成を模式的に示した構成図である。
【図６】工業材料（試料）の供給工程において実施例２の棒状工具１００−１を用いて突き出している様子を示す図である。
【図７】第２の囲繞側壁体１７０とテーパー面１７１の働きおよび第３の囲繞側壁体１９０とテーパー面１９１の働きを分かりやすく拡大した図である。
【図８】本実施例３に示すメルトフロー自動測定装置２００の構成を模式的に示した構成図である。
【図９】溶融樹脂試料の投入処理を簡単に示す図である。
【図１０】メルトフローレートを測定する様子を簡単に示す図である。
【図１１】本発明のメルトフロー自動測定装置２００を用いたメルトフロー自動測定の手順について示したフローチャートである。
【図１２】従来技術におけるメルトフローレート自動測定装置の構成例を示す図である。
【図１３】従来技術におけるメルトフローレート自動測定装置の構成例を示す図である。
【手続補正３】
【補正対象書類名】明細書
【補正対象項目名】００３３
【補正方法】変更
【補正の内容】
【００３３】
もし、窪み形状１３０がなければ、図３（ｂ）に示すように、カートリッジである筒体２１０ａの内壁面近くにある試料が筒体２１０ａ内で行き場がなく、筒体２１０ａの内壁面と棒状ヘッド体１２０の外壁面の間に挟まってしまい、抵抗体となってしまい供給作業を邪魔してしまう。
しかし、図３（ａ）のように、本発明の棒状工具１００のように、囲繞側壁体１４０と窪み形状１３０があればそのような不具合は発生しない。
【手続補正４】
【補正対象書類名】明細書
【補正対象項目名】００４３
【補正方法】変更
【補正の内容】
【００４３】
以下、実施例２の棒状工具１００−１の操作および効果を説明する。
この実施例２の棒状工具１００−１についても、実施例１と同様、様々な利用シーンが想定され、例えば、実施例１で示したような第１の利用シーンから第２の利用シーンがある。ここでは、代表的に第１の利用シーンについて説明するが、第２の利用シーンについても、実施例１と同様の操作と効果を考えれば良い。
【手続補正５】
【補正対象書類名】明細書
【補正対象項目名】００６４
【補正方法】変更
【補正の内容】
【００６４】
［メルトフローレートの測定開始］
メルトフローレートの測定開始の指示を受けると（図１１ステップＳ１：Ｙ）、樹脂試料の投入ステップに移行する。
【手続補正６】
【補正対象書類名】明細書
【補正対象項目名】００６５
【補正方法】変更
【補正の内容】
【００６５】
［樹脂試料の投入ステップ（図１１ステップＳ２）］
シリンダー２１０ｂのピストンヘッド側室に対して、メルトフローレートを測定する樹脂試料を投入する。すべての手順が自動化されているため、この樹脂サンプルの投入作業もロボットアーム２７０により行う。
図９は、樹脂試料の投入処理を簡単に示す図である。
まず、図９（ａ）に示すように、ロボットアーム２７０（動作は図示せず）により、樹脂試料を供給するカートリッジである筒体２１０ａをシリンダー２１０ｂのピストンヘッド側室に対して移動させ、測定シリンダー２１０ｂの上部にセットする。
カートリッジである筒体２１０ａを所定位置にセットすれば、次に、図９（ａ）に示すように、ロボットアーム２７０（動作は図示せず）により、棒状工具１００をカートリッジ２１０ａの上部にセットする。
次に、ロボットアーム２７０（動作は図示せず）により、棒状工具１００をカートリッジ２１０ａの中に押し込んでゆき、カートリッジ２１０ａの中の試料を下方から突き出し、樹脂試料を投入する。投入後は、ロボットアーム２７０（動作は図示せず）により、棒状工具１００およびカートリッジ２１０ａを測定シリンダーの筒内２１０ｂ上から取り去る。
【手続補正７】
【補正対象書類名】明細書
【補正対象項目名】００６７
【補正方法】変更
【補正の内容】
【００６７】
［メルトフローレート測定状態の確認（図１１ステップＳ４）］
制御部２６０は、シリンダー内２１１内の温度、予熱の状態がメルトフローレートの測定開始条件を満たしていることを確認できれば（図１１ステップＳ４：Ｙ）、溶融樹脂試料押し出しステップに移行する。
【手続補正８】
【補正対象書類名】明細書
【補正対象項目名】００７５
【補正方法】変更
【補正の内容】
【００７５】
１００，１００−１  棒状工具
１１０  軸体
１２０  棒状ヘッド体
１３０  窪み形状
１４０  囲繞側壁体
１４１  テーパー面
１５０  バッファ空間
１６０  第２の窪み形状
１７０  第２の囲繞側壁体
１７１  第２のテーパー面
１８０  第３の窪み形状
１９０  第３の囲繞側壁体
１９１  第３のテーパー面
２００  装置
２１０ａ  樹脂供給部
２１０ｂ  シリンダー
２１１  ピストンヘッド側室
２１１ａ  シャッター
２１２  加熱手段
２１３  断熱材
２２０  オリフィス
２３０  ピストン
２３１  ピストンロッド
２４０  ピストン駆動機構
２５０  押込距離計測装置
２６０  制御部
２７０  ロボットアーム
３００  試料
【手続補正９】
【補正対象書類名】図面
【補正対象項目名】図６
【補正方法】変更
【補正の内容】
【図６】
2020085445.tif 000016